(57)【特許請求の範囲】
【請求項１】
主給紙カセット収容部を備えており、補助給紙カセットユニットを前記主給紙カセット収容部の下部に装着可能とした記録装置において、上記主給紙カセット収容部用のフレームと補助給紙カセットユニットのフレームとは同一形状であって、給紙カセット内の記録用紙を分離供給する分離ローラの組付部を主給紙カセット収容部用のフレーム及び補助給紙カセットユニットのフレームに形成するとともに、モータを組み付けるための透孔を主給紙カセット収容部用のフレーム及び補助給紙カセットユニットのフレームに形成して、補助給紙カセットユニットのフレームの透孔を使用して、補助給紙カセット内の記録用紙を分離供給する分離ローラを回転させるモータを組み付けた記録装置。
【請求項２】
主給紙カセット収容部を備えており、補助給紙カセットユニットを前記主給紙カセット収容部の下部に装着可能とした記録装置において、上記主給紙カセット収容部用のフレームと補助給紙カセットユニットのフレームとは同一形状であって、記録用紙を収容する給紙カセットの収容部、外装カバーの固定孔、補助給紙カセットユニットのフレームを主給紙カセット収容部用のフレームに対して位置決めする位置決めピンの係合孔及び給紙カセット内の記録用紙を分離供給する分離ローラの組付部を主給紙カセット収容部用のフレーム及び補助給紙カセットユニットのフレームに形成するとともに、モータを組み付けるための透孔を主給紙カセット収容部用のフレーム及び補助給紙カセットユニットのフレームに形成して、補助給紙カセットユニットのフレームの透孔を使用して、補助給紙カセット内の記録用紙を分離供給する分離ローラを回転させるモータを組み付けた記録装置。
【請求項３】
請求項１に記載の記録装置において、補助給紙カセットユニットのフレームと、主給紙カセット収容部用フレームとを凹凸による嵌合関係により位置決め可能にした記録装置。
【発明の詳細な説明】
【０００１】
【発明の属する技術分野】
この発明は、給紙カセットから記録機構に記録用紙を供給して、記録を行うようにした記録装置に関するものである。
【０００２】
【従来の技術】
例えば、ファクシミリ装置等のカット紙タイプの記録装置においては、主給紙カセット収容部用のフレームが記録機構とともに、本体フレームに組み付けられていた。また、それらの外側には本体カバーが被覆されていた。
【０００３】
一方、このカット紙タイプの記録装置に対し、必要に応じて装着される従来の補助給紙カセットユニットは、専用のカセットフレームに組み付けられていた。そして、それらの外側には専用のカセットカバーが被覆されていた。
【０００４】
【発明が解決しようとする課題】
そのため、この従来のカット紙型記録装置においては、本体フレームや本体カバーのための金型とは異なった専用の金型等を使用して、補助給紙カセットユニットのフレームやカバーを製造する必要があって、製造コストが高くなるという問題があった。
【０００５】
この発明は、このような従来の技術に存在する問題点に着目してなされたものである。その目的とするところは、主給紙カセット収容部用のフレームと、補助給紙カセットユニットのフレームとを共通の金型で製造することができて、製造コストを低減することができる記録装置を提供することにある。
【０００６】
【課題を解決するための手段】
上記の目的を達成するために、請求項１の記録装置の発明では、主給紙カセット収容部を備えており、補助給紙カセットユニットを前記主給紙カセット収容部の下部に装着可能とした記録装置において、上記主給紙カセット収容部用のフレームと補助給紙カセットユニットのフレームとは同一形状であって、給紙カセット内の記録用紙を分離供給する分離ローラの組付部を主給紙カセット収容部用のフレーム及び補助給紙カセットユニットのフレームに形成するとともに、モータを組み付けるための透孔を主給紙カセット収容部用のフレーム及び補助給紙カセットユニットのフレームに形成して、補助給紙カセットユニットのフレームの透孔を使用して、補助給紙カセット内の記録用紙を分離供給する分離ローラを回転させるモータを組み付けたものである。
【０００７】
請求項２に記載の発明では、主給紙カセット収容部を備えており、補助給紙カセットユニットを前記主給紙カセット収容部の下部に装着可能とした記録装置において、上記主給紙カセット収容部用のフレームと補助給紙カセットユニットのフレームとは同一形状であって、記録用紙を収容する給紙カセットの収容部、外装カバーの固定孔、補助給紙カセットユニットのフレームを主給紙カセット収容部用のフレームに対して位置決めする位置決めピンの係合孔及び給紙カセット内の記録用紙を分離供給する分離ローラの組付部を主給紙カセット収容部用のフレーム及び補助給紙カセットユニットのフレームに形成するとともに、モータを組み付けるための透孔を主給紙カセット収容部用のフレーム及び補助給紙カセットユニットのフレームに形成して、補助給紙カセットユニットのフレームの透孔を使用して、補助給紙カセット内の記録用紙を分離供給する分離ローラを回転させるモータを組み付けたものである。
【０００８】
請求項３に記載の発明では、請求項１に記載の記録装置において、補助給紙カセットユニットのフレームと、主給紙カセット収容部用フレームとを凹凸による嵌合関係により位置決め可能にしたものである。
【０００９】
（作用）
請求項１〜請求項３のいずれか１項に記載の記録装置においては、補助給紙カセットユニットのフレームを、専用の金型を用意することなく、主給紙カセット収容部用のフレームと共通の金型を使用して製造することができる。
さらに請求項３に記載の記録装置においては、補助給紙カセットユニットを主給紙カセット収容部用フレームの下面に装着する際に、補助給紙カセットユニットのフレームを主給紙カセット収容部用フレームに対して、所定位置へ正確に位置決めすることができる。
【００１０】
【発明の実施の形態】
以下、この発明をファクシミリ装置に具体化した一実施形態を、図面に基づいて詳細に説明する。
【００１１】
図１及び図２に示すように、本体フレーム１は一対のサイドフレーム２を備えている。本体カバー３は本体フレーム１上に取り付けられ、本体フレーム１の外側を覆っている。主給紙カセット収容部４は本体フレーム１の下部に配置され、本体フレーム１のボトムフレームを兼用するように、サイドフレーム２に固定されたフレーム５と、そのフレーム５の外側を覆う外装カバー６とにより形成されている。図５に示すように、フレーム５は一枚の板金を打ち抜き、曲げ加工により成形され、その内側に主給紙カセット収容部４が形成されている。
【００１２】
図２に示すように、把手４ｂを備えた主給紙カセット４ａは、主給紙カセット収容部４に挿脱可能に収容されている。用紙ホルダ７は主給紙カセット４ａ内に取り出し可能に挿入され、その内部にはカット紙タイプの多数の記録用紙Ｐ１が積層状態で収容される。第１分離ローラ８はフレーム５上に回転可能に支持され、その外周面には記録用紙Ｐ１が、バネ９の付勢力により押上板１０を介して圧接される。
【００１３】
補助給紙カセットユニット１１は必要に応じてオプションとして、前記主給紙カセット収容部４の下部に取り外し可能に装着される。この補助給紙カセットユニット１１は、フレーム１２、そのフレーム１２の外側を覆う外装カバー１３などを備えている。このフレーム１２は前記フレーム５と同様に一枚の板金から成形され、その内側に補助給紙カセット収容部１２ａが形成されている。把手１１ｂを備えた補助給紙カセット１１ａは、この収容部１２ａに挿脱可能に収容されている。
【００１４】
用紙ホルダ１４は補助給紙カセット１１ａ内に取り出し可能に挿入され、その内部には前記記録用紙Ｐ１とサイズの異なったカット紙タイプの多数の記録用紙Ｐ２が積層状態で収容される。第２分離ローラ１５はフレーム１２上に回転可能に支持され、その外周面には記録用紙Ｐ２が、バネ１６の付勢力により押上板１７を介して圧接される。
【００１５】
第１開閉体１８は支軸１９により前記本体フレーム１に回動可能に取り付けられ、この第１開閉体１８が閉成位置に配置された状態で、本体カバー３と第１開閉体１８との間に記録用紙Ｐ１，Ｐ２のための搬送通路２０が形成される。第２開閉体２１は支軸２２により第１開閉体１８に回動可能に取り付けられ、この第２開閉体２１が閉成位置に配置された状態で、第１開閉体１８と第２開閉体２１の間に読取り用原稿Ｐ３のための移送通路２３が形成される。
【００１６】
受信機構としての記録機構２４は前記搬送通路２０に臨むように、本体フレーム１と第１開閉体１８との間に配設されている。この記録機構２４は、第１開閉体１８に支持されたプラテンローラ２５と、そのプラテンローラ２５と対向するように、本体フレーム１に支持されたサーマルヘッド２６とを備えている。
【００１７】
一対のリボンリール２７，２８は前記本体フレーム１内に配設され、両リボンリール２７，２８間にはインクリボン２９が張設されている。また、このインクリボン２９は搬送通路２０に沿ってプラテンローラ２５とサーマルヘッド２６との間に挿通され、記録用紙Ｐ１，Ｐ２と同方向に移送される。そして、サーマルヘッド２６により、インクリボン２９を介して記録用紙Ｐ１，Ｐ２上に受信データが記録される。
【００１８】
搬送ローラ３０は前記搬送通路２０の入口部において、本体フレーム１に支持され、この搬送ローラ３０と接触するように、第１開閉体１８には圧接ローラ３１が支持されている。排紙ローラ３２は搬送通路２０の出口部において、第１開閉体１８に支持されるとともに、この排紙ローラ３２と接触するように圧接ローラ３３が支持されている。
【００１９】
正逆回転可能な第１モータ３４は前記本体フレーム１内に配設され、この第１モータ３４により第１分離ローラ８及び搬送ローラ３０が回転される。そして、この第１分離ローラ８の回転により、用紙ホルダ７上の分離爪７ａとの協働作用にて、主給紙カセット４ａから記録用紙Ｐ１が１枚ずつ分離して供給されるとともに、その記録用紙Ｐ１が搬送ローラ３０の回転により、搬送通路２０に沿って記録機構２４に搬送される。
【００２０】
第２モータ３５は前記補助給紙カセットユニット１１内に配設され、この第２モータ３５により第２分離ローラ１５及び搬送ローラ３０が回転される。そして、この第２分離ローラ１５の回転により、用紙ホルダ１４上の分離爪１４ａとの協働作用にて、補助給紙カセット１１ａから記録用紙Ｐ２が１枚ずつ分離して供給されるとともに、その記録用紙Ｐ２が搬送ローラ３０の回転により、搬送通路２０に沿って記録機構２４に搬送される。
【００２１】
なお、前記本体フレーム１内には図示しない第３モータが配設されている。そして、記録機構２４の記録動作時には、この第３モータによりプラテンローラ２５及び排紙ローラ３２が回転されて、記録用紙Ｐ１，Ｐ２が記録機構２４に沿って搬送された後に、排紙トレイ３６上へ排出される。また、この記録機構２４の記録動作時には、第３モータによりリボンリール２７が回転されて、インクリボン２９に送りが付与される。
【００２２】
送信機構としての読取り機構３７は前記移送通路２３に臨むように、第１開閉体１８と第２開閉体２１との間に配設されている。この読取り機構３７は、第１開閉体１８に支持された分離ローラ３８と、その分離ローラ３８と対向するように、第２開閉体２１に支持された分離パッド３９とを備えている。さらに、読取り機構３７は、第１開閉体１８に支持されたプラテンローラ４０と、そのプラテンローラ４０と対向するように、第１開閉体１８に支持された読取りセンサ４１とを備えている。
【００２３】
そして、前記第１モータ３４により分離ローラ３８及びプラテンローラ４０が回転される。これにより、読取り用原稿Ｐ３が供給トレイ４２上から読取り機構３７内に供給されるとともに、読取りセンサ４１の読取り動作後に、原稿Ｐ３が移送通路２３の出口から本体カバー３の前方へ排出される。
【００２４】
収容室４３は前記本体フレーム１内の後部に形成され、この収容室４３内には電源装置４４、通信制御装置４５及び主制御装置４６が収容されている。バックカバー４７は本体カバー３の後面開口部に取り出し可能に取着され、このバックカバー４７を取り外すことにより、収容室４３内の各装置４４，４５，４６を容易に点検または修理できるようになっている。
【００２５】
次に、前記フレーム５，１２及び外装カバー６，１３の構成について詳述する。図１〜図５に示すように、主給紙カセット収容部４用のフレーム５と補助給紙カセットユニット１１のフレーム１２とは、同形の金型を使用して同一形状に形成されている。また、主給紙カセット収容部４用の外装カバー６と補助給紙カセットユニット１１の外装カバー１３とも、同形の金型を使用して同一形状に形成されている。
【００２６】
すなわち、両フレーム５，１２は、水平な頂板５１と一対の垂直な側板５２とを有し、全体として正面形ほぼ門型となるように形成されている。正面形ほぼＬ字状の複数の上部取付片５３は頂板５１の両側に突設され、この上部取付片５３の外面に外装カバー６，１３が当接して取り付けられる。複数の下部取付片５４は両側板５２の下端外側に突設される。
【００２７】
複数のピン支持片５５は前記頂板５１の左側に突設されている。一対の第１ピン取付孔５６はピン支持片５５に形成され、補助給紙カセットユニット１１のフレーム１２については、これらの第１ピン取付孔５６に上方から位置決めピン５７が取り付けられている。一対の係合片５８は左側の側板５２の外面下部に突設され、これらの係合片５８には係合孔５９が形成されている。外装カバー６，１３は係合片５８の下面に当接し、複数の固定孔５９ａにビスが挿通されて係合片５８に取付けられる。そして、補助給紙カセットユニット１１を主給紙カセット収容部４の下面に装着する際に、フレーム１２上の各位置決めピン５７がフレーム５の係合孔５９に下方から嵌合関係により係合して、両フレーム５，１２が所定位置に位置決めされる。
【００２８】
各一対の第２ピン取付孔６０は前記ピン支持片５５及び右側の上部取付片５３に形成され、補助給紙カセットユニット１１のフレーム１２については、これらの第２ピン取付孔６０に上方から支持ピン６１が取り付けられている。そして、補助給紙カセットユニット１１を主給紙カセット収容部４の下面に装着する際には、フレーム１２上の各支持ピン６１がフレーム５の下部取付片５４に下方から当接して、主給紙カセット収容部４の荷重を支持する。
【００２９】
一対のローラ支持片６２は前記頂板５１の前部両側縁に立設され、このローラ支持片６２と対応するように、頂板５１上には複数の軸受凹部６３及びローラ収容孔６４が形成されている。そして、これらのローラ支持片６２、軸受凹部６３及びローラ収容孔６４を使用して、フレーム５，１２上に分離ローラ８，１５が組み付けられる。
【００３０】
透孔６５は左側の側板５２に形成され、補助給紙カセットユニット１１のフレーム１２については、この透孔６５を使用してフレーム１２に第２モータ３５が組み付けられる。複数の第３ピン取付孔６６は左側の側板５２に形成され、補助給紙カセットユニット１１のフレーム１２については、これらの第３ピン取付孔６６に外側からギヤ支持ピン６７が取り付けられる。そして、各ギヤ支持ピン６７には、第２モータ３５から第２分離ローラ１５に動力を伝達するためのギヤ機構のギヤ（図示しない）が、それぞれ回転可能に組み付けられる。
【００３１】
さて、この実施形態のカット紙型記録装置においては、主給紙カセット収容部４用のフレーム５と、補助給紙カセットユニット１１のフレーム１２とが同一形状になっている。このため、補助給紙カセットユニット１１のフレーム１２を製造する際に、それぞれ専用の金型を用意する必要がなく、主給紙カセット収容部４用のフレーム５と共通の金型を使用して、容易かつ安価に製造することができる。
【００３２】
また、この実施形態の記録装置においては、主給紙カセット収容部４用の外装カバー６と、補助給紙カセットユニット１１の外装カバー１３とが同一形状になっている。このため、補助給紙カセットユニット１１の外装カバー１３を製造する際に、それぞれ専用の金型を用意する必要がなく、主給紙カセット収容部４用の外装カバー６と共通の金型を使用して、容易かつ安価に製造することができる。
【００３３】
さらに、この実施形態の記録装置においては、補助給紙カセットユニット１１のフレーム１２上に位置決めピン５７が突設されるとともに、主給紙カセット収容部４用のフレーム５に係合孔５９が形成されている。このため、補助給紙カセットユニット１１を主給紙カセット収容部４の下面に装着する際には、位置決めピン５７を係合孔５９に係合させることにより、補助給紙カセットユニット１１のフレーム１２を主給紙カセット収容部４のフレーム５に対して、所定位置へ正確に位置決めすることができる。
【００３４】
なお、この発明は前記実施形態の構成に限定されるものではなく、例えば以下のように、各部の構成を任意に変更して具体化することも可能である。
（１）主給紙カセット収容部４用のフレーム５に位置決めピンを突設し、補助給紙カセットユニット１１のフレーム１２上に係合孔を設けて、嵌合関係により位置決めピンを係合孔に係合させること。
（２）補助給紙カセットユニット１１を複数設けること。
（３）各フレーム５，１２及び外装カバー６，１３の形状構成を適宜に変更すること。
【００３６】
【発明の効果】
この発明は、以上説明したように構成されているため、次のような効果を奏する。
【００３７】
請求項１〜請求項３のいずれか１項に記載の発明によれば、主給紙カセット収容部用のフレームと、補助給紙カセットユニットのフレームとを共通の金型で製造することができて、製造コストを低減することができる。
さらに請求項３に記載の発明によれば、補助給紙カセットユニットを主給紙カセット収容部用フレームの下面に装着する際に、補助給紙カセットユニットのフレームを主給紙カセット収容部用フレームに対して、所定位置へ正確に位置決めすることができる。
【図面の簡単な説明】
【図１】この発明をファクシミリ装置に具体化した一実施形態を示すもので、特にその装置本体及び給紙カセットにおけるフレーム及び外装カバーの組立構成を示す正断面図である。
【図２】ファクシミリ装置の全体構成を示す側断面図である。
【図３】主給紙カセット収容部及び補助給紙カセットユニットのフレームの組立構成を、図２と反対の左側方から見て示す側面図である。
【図４】主給紙カセット収容部用のフレームを示す部分平面図である。
【図５】主給紙カセット収容部用のフレームを示す斜視図である。
【符号の説明】
１…本体フレーム、４…主給紙カセット収容部、４ａ…主給紙カセット、５…フレーム、６…外装カバー、８…分離ローラとしての第１分離ローラ、１１…補助給紙カセットユニット、１１ａ…補助給紙カセット、１２…フレーム、１２ａ…補助給紙カセット収容部、１３…外装カバー、１５…分離ローラとしての第２分離ローラ、２４…記録機構、３５…モータとしての第２モータ、５６…係合孔としての第１ピン取付孔、５７…位置決めピン、５９…係合孔、５９ａ…固定孔、６２…組付部を構成するローラ支持片、６３…組付部を構成する軸受凹部、６４…組付部を構成するローラ収容孔、６５…透孔、Ｐ１…記録用紙、Ｐ２…記録用紙。
【図１】
0003551955.tif 000002
【図２】
0003551955.tif 000003
【図３】
0003551955.tif 000004
【図４】
0003551955.tif 000005
【図５】
0003551955.tif 000006